(57)【要約】      （修正有）【課題】ＰＣＢ漏洩、漏出を蛍光反応を利用して、簡易に判別できるＰＣＢ漏洩判別器を提供する。【解決手段】装置取付板に取り付けた青色発光装置と、短波長紫外線発光ランプと、長波長紫外線発光ランプと、青色発光装置、短波長、長波長紫外線発生ランプ切替装置と、黄緑色から黄赤色での発色が出現するかどうかを確認する装置とにより該判別器を構成する。青色光の下で、紫外線の波長が違う短波長紫外線発生ランプと長波長紫外線発生ランプを１回ずつ切り替えて照射し、黄緑色から黄赤色間での発色が出現するかどうかでＰＣＢ漏れを確認する【選択図】図１
0003171562.tif 000002
【実用新案登録請求の範囲】
【請求項１】
ＰＣＢ廃棄物等からＰＣＢが漏洩、漏出しているかどうかの判断方法は目視かあるいは高額な分析費用をかけて１検体毎に調べるしか方法がなく現実的手法とは言えない、昭和５０年頃にゆうが灯（紫外線）下で変圧器の電圧調整の為にタップ変更を行っているときにＰＣＢ入り油が青っぽい蛍光色を発することを発見していた、そこでその発見を基にＰＣＢの漏洩、漏出を判断する判別方法を簡易で安価に提供するものである。
【請求項２】
0003171562.tif 000003
【考案の詳細な説明】
【技術分野】
【０００１】  本発明は、ＰＣＢ廃棄物等からのＰＣＢの漏洩、漏出を簡易に判別する事が出来る技術に関するものである。
【背景技術】
【０００２】  平成１６年に３月に定められた「ＰＣＢ廃棄物収集・運搬ガイドライン」によると第２章収集・運搬の２，２収集・運搬の方法２，２，２の４等にも目視による点検、とあり表２．１収集運搬中等に漏洩があった場合の対応方法（例）にも事前調査において１、目視にてＰＣＢ廃棄物の漏洩状態を確認とある、又、その他の方法としては１検体毎に分析機関による高額な費用をかけた分析を行う方法しかない。【０００３】  ＰＣＢ廃棄物等の保管、収集・運搬において最も考慮すべき点はＰＣＢ廃棄物からのＰＣＢ漏洩、漏出にて発生するＰＣＢの揮発による作業従事者及び、周辺住民のＰＣＢ暴露防止及び周辺の環境保全において簡易で安価にＰＣＢの漏洩を判別する方法を提供することにある。【０００４】  だが、現在国の「ＰＣＢ特措法」あるいは「ＰＣＢ廃棄物収集・運搬ガイドライン」にもあるように目視あるいは高額な費用をかけた分析しかＰＣＢの漏洩を判断できないのが現状であり安全性を高める為に簡易で安価な方法で判断ができるように考慮すべき余地がある。
【考案の概要】
【考案が解決しようとする課題】
【０００５】  ＰＣＢ廃棄物からのＰＣＢ漏洩、露出をいかに簡易に安価で判断する方法を開発するかであり、又、ＰＣＢの付着していない廃棄物を産業廃棄物として処理する新判別方法を開発する事により作業従事者及び、周辺住民の安全、及び環境保全に大きく寄与する。
【課題を解決するための手段】
【０００６】  また、技術的な側面からいうと青色光には青色ＬＥＤ及び青色電球を使用し紫外線発生ランプは、２５０ｎｍ〜３７０ｎｍの短波長及び長波長の紫外線発光器をセットし青色ＬＥＤ発光装置２個を取り付ける判別装置とする。
【考案の効果】
【０００７】  一定のコスト制約の中でいかに性能の確保及び簡単な操作で作業をする事ができるか又、効率よく漏洩、漏出の判別作業を進められるかが求められている。【０００８】  前記目的を達成して課題を解決するため本発明においては、現在はＰＣＢの漏洩、漏出の判断は目視による判別か高額な費用をかけた分析方法しかない、そこでＰＣＢ廃棄物に青色光と短波長及び長波長の紫外線を照射する事により、ＰＣＢが青黄色から黄緑色間において発色する事を利用した新たな判別方法を提供するものである。
【考案の効果】
【０００９】  例えば、ＰＣＢ廃棄物の保管、収集・運搬に関係する作業従事者は多人数でありＰＣＢの漏洩、漏出が判別できなければＰＣＢ揮発暴露による健康被害も考えられる又、周辺環境汚染に直結する事でもある。【００１０】  例えば、ＰＣＢ廃棄物からＰＣＢの漏洩、漏出が簡易に安価で確認出来れば特許第４１９１４３２号「廃科学物質類・有害化学物質等の梱包方法」にて密封し揮発防止対策をする事ができ作業従事者の安全及び、環境保全にも有意義である。【００１１】  前記目的を達成して課題を解決するため本考案においては、現在はＰＣＢの漏洩、漏出の判断は目視による判別か高額な費用をかけた分析方法しかない、そこでＰＣＢ廃棄物に青色光と紫外線を照射する事により、ＰＣＢが青黄色から黄緑色間において発色する事を利用し新たな判別方法を提供するものである。
【図面の簡単な説明】
【００１２】
【図１】  正面図である。
【図２】  平面図である。
【図３】  側面図である。
【実施例】
【００１３】  「図１」は、本考案の実施例の正面図で本考案に関わる装備の配置である。
１１作業台に６固定金具において５装置保持用脚をしっかりと固定する６固定金具上に１０検体台に９照明用安定器等を置き３紫外線カットコーティングガラスを４  装置取付板に取り付けてある７蝶番に接続する。
検体である９照明用安定器他等に発色が認められた場合は安全衛生対策要綱に定められている対策をとり安全確保を行い特許第４１９１４３２号の「廃科学物質類・有害廃棄物質類等の梱包方法」において密閉し揮発防止対策を行い金属容器又は、収納容器に収納し密閉する。
「図２」は、５装置保持材に４装置取付板をボルト等により接続する、４装置取付板には１青色発光装置、２紫外線発生ランプ、８青色発光装置、短波長、長波長紫外線発生ランプ切替装置を取付けておき４装置取付板に３紫外線カットコーティングガラスを接続する７蝶番を取り付ける。
「図３」は、５装置保持脚に４装置取付板をボルト等により接続する、５装置保持脚と４装置取付板は一体化していてもかまわない、５装置保持用脚を６固定金具にて１１作業台に固定する、６固定金具間に１０検体台を乗せる、１０検体台は板状になっていれば材質は問わない、３ガラスコーティングガラスを４装置取付板に取り付けてある７蝶番に接続し１０検体台に、９照明用安定器他を数台配置し８青色発光装置、短波長、長波長紫外線発生ランプ切替装置において１回ずつ短波長、長波長の紫外線を切替え照射し青色光と紫外線を照射し黄緑色から黄赤色の発色が出現するかを確認する、発色が出現した場合は即座に安全衛生対策要綱に定められている対策をとり特許第４１９１４３２号「廃化学物質類・有害廃棄物類の梱包方法」において密封し揮発防止対策を行い金属容器又は収容器に収納し密閉する。
【考案を実施するための形態】
【００１４】  本考案における判別方法は４装置取付板に取り付けた１青色発光装置と２紫外線発光ランプ（短波長及び長波長）２台を１セットとし紫外線の波長が違う短波長紫外線発生ランプと長波長紫外線ランプを１回ずつ切り替えて照射し判別を行い黄緑色から黄赤色間での発色が出現するかどうかを確認し発色が出現した検体は特許第４１９１４３２号の「廃科学物質類・有害外器物質類等の梱包方法」において密封し揮発防止対策を行い、金属容器又は、収納容器に収納し密閉する、１青色発光装置は一般的に使用されている電球用照明器具を使用する事でよく２紫外線発生装置とは一般的に使用されている蛍光灯照明器具であり、蛍光灯ランプを紫外線発生用ランプに取替使用する事でもよい、又、携帯型として扱う事でもよい。
【符号の説明】
【００１５】  １．    青色発光装置
２．    紫外線発生装置
３．    紫外線カットコーティングガラス等
４．    装置取付板
５．    装置保持用脚
６．    固定金具
７．    装置保持材
８．    蝶番
９．    青色発光装置、短波長、長波長紫外線発生ランプ切替装置
１０．  照明用安定器他等
１１．  検体台
１２．  作業台
0003171562.tif 000004
【図２】
0003171562.tif 000005
【図３】
0003171562.tif 000006
【手続補正書】
【提出日】平成22年5月10日(2010.5.10)
【手続補正１】
【補正対象書類名】明細書
【補正対象項目名】全文
【補正方法】変更
【補正の内容】
【考案の詳細な説明】
【技術分野】
【０００１】本発明は、昭和５０年頃に職業である電気工事において高圧変圧機の取り換え作業を行っている時に誘蛾灯（紫外線）下で変圧機の電圧調整を行うタップ変更を行っている時にＰＣＢ入り絶縁油が青っぽい蛍光色を発することを発見していた、そこでその発見を基にＰＣＢ入り蛍光灯安定器及び裏ふたを外しＰＣＢ入りコンデンサーに短波長及び長波長の紫外線を照射すると蛍光反応する事が確認できた又青色を照射する事で確実に蛍光反応色を出現する事を確認した、そこでＰＣＢの漏洩、漏出を判断する判別器を簡易で安価に提供する。【０００３】最も重要な事はＰＣＢは揮発する事でありヒトの発生から脳は三週間程で形成が始まるとの研究結果が発表されておりＰＣＢの影響が大きく報じられている、ＰＣＢ廃棄物の大きな問題は揮発が起こっている機器をどのように判別するかが問題であり現在の法律等では目視により判別するしかない、そこで紫外線及び青色光を照射し蛍光反応をＣＣＤカメラ（例、ハイパースペクトルカメラ）等で計測する事で等級化できるので簡易で安価な方法でＰＣＢの漏洩、漏出を判断できる判別器を提供する。
【考案の概要】
【考案が解決しようとする課題】
【０００５】ＰＣＢ廃棄物からのＰＣＢ漏洩、漏出をいかに簡易に安価で判断する方法を開発するかであり又、ＰＣＢの付着していない部分を産業廃棄物として処理する判別器を開発する事が重要であり作業従事者、周辺住民の安全、環境保全に大きく寄与できる。
【課題を解決するための手段】
【０００６】技術的な側面から言うと青色光には青色ＬＥＤ又は青色電球を使用し短波長及び長波長紫外線発生ランプに各一個をセットし短波長、長波長の紫外線を交互に照射する。【０００８】前記目的を達成して課題を解決するため本発明においては、現在ＰＣＢの漏洩、漏出の判断は目視による判別か高額な費用をかけた分析方法しかない、そこでＰＣＢ廃棄物に青色光を照射し短波長及び長波長の紫外線を交互に照射する事によりＰＣＢが青黄色から黄赤色間において蛍光色を発する事を利用した判別器を提供する。【００１１】削除
【実施例】
【００１３】［選択図］は、本考案の実施例の正面図で装備の配置である、１１作業台に６固定金具で５装置保持用脚を接続し１０検体台に９照明用安定器を置き３紫外線カットコーテングガラス等を４装置取り付板に７蝶番に接続する５装置保持用脚に４装置取り付板を接続する４装置取り付板に１青色光発生装置、２紫外線発生装置を取り付ける
【考案を実施するための形態】
【００１４】判別器は固定式あるいは手持ち式でもよい、判別器によりＰＣＢの漏洩等が判断された場合は即座に特許第４１９１４３２号の「廃化学物質類・有害化学物質類等の梱包方法」において密封しＰＣＢの揮発防止対策を行い災害防止用保管容器に収納する。
【符号の説明】
【００１５】  １、青色発光装置
２、紫外線発光装置
３、紫外線カットコーテングガラス
４、装置取り付板
５、装置保持用脚
６、固定金具
７、蝶番
８、青色発光装置、短波長、長波長紫外線発生ランプ、切り替え装置
９、照明用安定器他等
１０、検体台
１１、作業台
【手続補正２】
【補正対象書類名】実用新案登録請求の範囲
【補正対象項目名】全文
【補正方法】変更
【補正の内容】
【実用新案登録請求の範囲】
【請求項１】
ＰＣＢ廃棄物に青色光を照射しながら短波長、長波長の紫外線を交互に照射する事でＰＣＢの漏洩、漏出があると青緑色から黄赤色間で蛍光色が発する事が確認されたのでＰＣＢの漏洩、漏出を判断する事ができる又、ＣＣＤカメラ（例、ハイパースペクトルカメラ）で画像を取得し分光画像解析を行う事で等級化が可能となる、ＰＣＢ廃棄物からのＰＣＢ漏洩、漏出を判断する簡易で安価な判別器である、特に蛍光灯安定器からのＰＣＢ漏洩、漏出は大きな問題であり処理費用が高額なため不法投棄に繋がる可能性が高い、ヒトの発生時において脳への悪影響も明らかになっており特に胎児、児童に及ぼす影響が大きい、安定器には３％から５％に漏れがありそのまま放置をする事はＰＣＢの揮発問題を放置するのと同様の問題である、安定器を安全に解体するためには安定器の保管容器に青色光を照射しつづけ短波長、長波長の紫外線を交互に照射し蛍光色が発生していない事を確認し安定器を保管容器より取り出し安定器の裏蓋を外し青色光を照射しつづけ短波長、長波長の紫外線を交互に照射し蛍光色が発生しない事を確認し安定器内部にあるＰＣＢ入りコンデンサーを取り出しコンデンサーに青色光を照射しつづけ短波長、長波長の紫外線を交互に照射し蛍光色が発生していない事を確認し特許第４１９１４３２号の「廃化学物質類、廃化学物質類等の梱包方法」に収納し揮発防止を行い防災対策用保管容器に収納保管する、又、ＰＣＢ入りコンデンサーを取り除いた安定器にＰＣＢが付着していないかの確認をするため青色光を照射しつづけ短波長、長波長を交互に照射しＰＣＢの付着が無いことを確認する又、安全性を確保するためＰＣＢ入りコンデンサーとの接触面を削り取り数台から数十台を一ロットとし、分析機関においてＰＣＢが含有していない事を証明（不含証明）書で確認後、産業廃棄物として処分する尚、安定器保管容器、安定器取り出し、安定器蓋取り外し、コンデンサー取り出し、各作業において蛍光色反応がある時は即座に作業を中止し特許第４１９１４３２号の「廃化学物質類、廃化学物質類等の梱包方法」で揮発防止を行い防災対策用容器に収納保管をする又、各作業ごとにＣＣＤカメラ（例、ハイパースペクトルカメラ）にて画像の取得を行なう。
【手続補正３】
【補正対象書類名】図面
【補正対象項目名】全図
【補正方法】変更
【補正の内容】
【図１】
0003171562.tif 000007
【図２】
0003171562.tif 000008
【図３】
0003171562.tif 000009
【手続補正書】
【提出日】平成22年9月5日(2010.9.5)
【手続補正１】
【補正対象書類名】実用新案登録請求の範囲
【補正対象項目名】全文
【補正方法】変更
【補正の内容】
【実用新案登録請求の範囲】
【請求項１】
ＰＣＢ廃棄物に青色光を照射しながら短波長、長波長の紫外線を交互に照射する事でＰＣＢの漏洩、漏出があると青緑色から黄赤色間で蛍光色が発する事が確認されたのでＰＣＢの漏洩、漏出を判断する事ができる又、ＣＣＤカメラ（例、ハイパースペクトルカメラ）で画像を取得し分光画像解析を行う事で等級化が可能となる、ＰＣＢ廃棄物からのＰＣＢ漏洩、漏出を判断する簡易で安価な判別器である、特に蛍光灯安定器からのＰＣＢ漏洩、漏出は大きな問題であり処理費用が高額なため不法投棄に繋がる可能性が高い、ヒトの発生時において脳への悪影響も明らかになっており特に胎児、児童に及ぼす影響が大きい、安定器には３％から５％に漏れがありそのまま放置をする事はＰＣＢの揮発問題を放置するのと同様の問題である、安定器を安全に解体するためには安定器の保管容器に青色光を照射しつづけ短波長、長波長の紫外線を交互に照射し蛍光色が発生していない事を確認し安定器を保管容器より取り出し安定器の裏蓋を外し青色光を照射しつづけ短波長、長波長の紫外線を交互に照射し蛍光色が発生しない事を確認し安定器内部にあるＰＣＢ入りコンデンサーを取り出しコンデンサーに青色光を照射しつづけ短波長、長波長の紫外線を交互に照射し蛍光色が発生していない事を確認し特許第４１９１４３２号の「廃化学物質類、廃化学物質類等の梱包方法」に収納し揮発防止を行い防災対策用保管容器に収納保管する、又、ＰＣＢ入りコンデンサーを取り除いた安定器にＰＣＢが付着していないかの確認をするため青色光を照射しつづけ短波長、長波長を交互に照射しＰＣＢの付着が無いことを確認する又、安全性を確保するためＰＣＢ入りコンデンサーとの接触面を削り取り数台から数十台を一ロットとし、分析機関においてＰＣＢが含有していない事を証明（不含証明）書で確認後、産業廃棄物として処分する尚、安定器保管容器、安定器取り出し、安定器蓋取り外し、コンデンサー取り出し、各作業において蛍光色反応がある時は即座に作業を中止し特許第４１９１４３２号の「廃化学物質類、廃化学物質類等の梱包方法」で揮発防止を行い防災対策用容器に収納保管をする又、各作業ごとにＣＣＤカメラ（例、ハイパースペクトルカメラ）にて画像の取得を行なう。
【請求項２】
ＰＣＢ廃棄物の照明用安定器内のコンデンサーに青色光を照射しながら短波長、長波長の紫外線を交互に照射する事でＰＣＢの漏洩等が発生していると青緑色から黄赤色間で蛍光色を発する事が確認できたのでＰＣＢの漏洩、漏出を判別する装置として青色照射器、紫外線照射器、ＣＣＤカメラ、分光画像解析機を有する事を特徴とするＰＣＢ漏洩判別器。
【手続補正２】
【補正対象書類名】明細書
【補正対象項目名】全文
【補正方法】変更
【補正の内容】
【考案の詳細な説明】
【技術分野】
【０００３】照明用安定器内のコンデンサーに青色光を照射しながら短波長、長波長の紫外線を照射し蛍光反応をＣＣＤカメラで撮影し分光画像解析機で解析しながら安定器を解体する。
【実施例】
【００１３】［選択図］は、本考案の実施例の正面図で装備の配置である、９判別装置収納箱に１青色発光器、２紫外線発光器、３紫外線カット用具、４ＣＣＤカメラ、５分光画像解析機、６紫外線切り替え装置、７照明用安定器、８検体台を取り付ける。【００１４】安定器は数台を一度に判別する事でもよく手持ち式でも良い又、数十台を並べて判別しても良い。
【符号の説明】
【００１５】１、青色発光器
２、紫外線発光器
３、紫外線カット用具
４、ＣＣＤカメラ
５、分光画像解析機
６、紫外線切り替え装置
７、照明用安定器
８、検体台
９、判別装置収納箱
【手続補正３】
【補正対象書類名】図面
【補正対象項目名】全図
【補正方法】変更
【補正の内容】
【図１】
0003171562.tif 000010
【図２】
0003171562.tif 000011
【図３】
0003171562.tif 000012
【手続補正書】
【提出日】平成23年1月6日(2011.1.6)
【手続補正１】
【補正対象書類名】実用新案登録請求の範囲
【補正対象項目名】全文
【補正方法】変更
【補正の内容】
【実用新案登録請求の範囲】
【請求項１】
ＰＣＢ使用安定器内部のコンデンサーからのＰＣＢ漏れを判別する為に青色光の下で短波長、長波長の紫外線を交互に照射することでＰＣＢの漏洩等が発生していると青緑色から黄赤色の蛍光色を発する事を確認することが出来たので、この事象を利用し紫外線照射器で紫外線を照射し目視では無くＣＣＤカメラで撮影し分光画像解説機においてＰＣＢ漏れを機械的に確認する、安価で簡単なＰＣＢ漏洩判別器。
【手続補正２】
【補正対象書類名】明細書
【補正対象項目名】全文
【補正方法】変更
【補正の内容】
【考案の詳細な説明】
【技術分野】
【０００１】本発明は、ＰＣＢ使用廃棄物からのＰＣＢ漏洩、漏出を簡易に安価で判別する事が出来る技術である。
【背景技術】
【０００２】平成１６年に制定された「ＰＣＢ廃棄物収集・運搬ガイドライン」によると第２章  収集・運搬の２，２収集・運搬の方法２，２，２の４に目視による点検、とあり表２、１収集運搬中等に漏洩があった場合の対応方法にも事前調査において１、目視にてＰＣＢ廃棄物の漏洩状態を確認とある、その他の方法としては１検体ごとに分析機関による高額な分析を行なう方法しかない。【０００３】ＰＣＢ廃棄物の保管、収集・運搬において最も考慮すべき点はＰＣＢ廃棄物からのＰＣＢ漏洩、漏出において発生するＰＣＢの揮発による作業従事者、周辺住民のＰＣＢ暴露であり又、周辺の環境保全であるので簡易で安価にＰＣＢの漏洩、漏出を判断する判別器を提供する。【０００４】現在国の「ＰＣＢ特措法」「ＰＣＢ廃棄物収集・運搬ガイドライン」にあるようにＰＣＢ漏洩、漏出は目視あるいは高額な分析方法しかないのが現状であり簡易で安価な方法で判断ができるように考慮すべき余地がある。
【考案の概要】
【考案が解決しようとする課題】
【０００５】ＰＣＢ廃棄物からのＰＣＢ漏洩、漏出をいかに簡易で安価で判別できるかであり又、ＰＣＢが付着していない部分を産業廃棄物として区別できるかである。
【課題を解決するための手段】
【０００６】青色光の下で短波長、長波長の紫外線を交互に照射する事でＰＣＢ廃棄物からＰＣＢ漏れが発生していると青緑色から黄赤色の蛍光色を発するのでＰＣＢ漏れを判断できる。
【考案の効果】
【０００７】一定のコスト制約の中でいかに性能の確保及び、簡単な操作で作業をする事ができるか又、効率よくＰＣＢの漏洩、漏出の判別ができるかが求められている。【０００８】ＰＣＢ廃棄物の保管、収集・運搬に関係する作業従事者は多人数でありＰＣＢの漏洩、漏出の判別ができなければＰＣＢ揮発によりＰＣＢ暴露による健康被害も考えられる又、周辺環境汚染に直結する事でもある。【０００９】ＰＣＢ廃棄物からのＰＣＢ漏れが判別できればＰＣＢ揮発防止が的確にでき作業従事者の安全及び、環境保全にも有意義である。
【図面の簡単な説明】
【００１０】
【図１】正面図である。
【図２】平面図である。
【図３】側面図である
【実施例】
【００１１】本考案の実施例の正面図で装置の配置である、９判別装置収納箱に１青色発光器、２紫外線発光器、３紫外線カット用具、４ＣＣＤカメラ、５分光画像解析機、６紫外線切り替え装置、７照明用安定器、８検体台【００１２】照明用安定器は数台を一度に判別する又は、手持ち式判別器により数十台を並べて判別する事でも良い。
【符号の説明】
【００１３】１、青色発光器
２、紫外線発光器
３、紫外線カット用具
４、ＣＣＤカメラ
５、分光画像解析機
６、紫外線切り替え装置
７、照明用安定器
８、検体台
９、判別装置収納箱
【手続補正書】
【提出日】平成23年4月18日(2011.4.18)
【手続補正１】
【補正対象書類名】実用新案登録請求の範囲
【補正対象項目名】全文
【補正方法】変更
【補正の内容】
【実用新案登録請求の範囲】
【請求項１】
ＰＣＢ使用安定器内部のコンデンサーからのＰＣＢ漏れを判別する為に装置取付板に取り付けた青色発光装置、短波長発生ランプ、長波長発生ランプにおいて青色光のもとで紫外線の波長のちがう短波長ランプ長波長ランプを一回ずつ切り替えし照射する事で黄緑色から黄赤色での発色があるかどうかでＰＣＢ漏れを確認するＰＣＢ漏洩判別器である。
【手続補正３】
【補正対象書類名】図面
【補正対象項目名】全図
【補正方法】変更
【補正の内容】
【図１】
0003171562.tif 000013
【図２】
0003171562.tif 000014
【図３】
0003171562.tif 000015
【手続補正４】
【補正対象書類名】明細書
【補正対象項目名】００１３
【補正方法】変更
【補正の内容】
【００１３】１、  青色発光装置
２、  紫外線発生装置
３、  紫外線カットコーテングガラス
４、  装置取付板
５、  装置保持用脚
６、  固定金具
７、  蝶番
８、  青色発光装置、短波長、長波長紫外線発生ランプ切替装置
９、  照明用安定器
１０、検体台
１１、作業台
【手続補正書】
【提出日】平成23年8月18日(2011.8.18)
【手続補正１】
【補正対象書類名】実用新案登録請求の範囲
【補正対象項目名】全文
【補正方法】変更
【補正の内容】
【実用新案登録請求の範囲】
【請求項１】
装置取付板に取り付けた青色発光装置と、短波長紫外線発光ランプと、長波長紫外線発光ランプと、青色発光装置、短波長、長波長紫外線発生ランプ切替装置と、黄緑色から黄赤色での発色が出現するかどうかを確認する装置とを有し、青色光の下で、紫外線の波長が違う短波長紫外線発生ランプと長波長紫外線発生ランプを１回ずつ切り替えて照射し、黄緑色から黄赤色間での発色が出現するかどうかでＰＣＢ漏れを確認する、ＰＣＢ漏洩判別器。